(57)【要約】【課題】搬送経路を変化させる機構を設けることなく、画像記録位置と切断位置を一致させ、損紙の発生を最小限に抑えることが可能な画像記録装置および制御方法を提供することを課題とする。【解決手段】記録タイミング基準位置３４と第１の画像記録部４の間に切断部１０による切断位置が来ないように、記録タイミング基準位置３４を設定する。これにより、損紙の量の量を最小限に抑えることが出来る。【選択図】  図３
2012006253.tif 000002
【特許請求の範囲】
【請求項１】
上位装置からの画像記録指令に基づいて連続記録媒体に画像記録部にて画像記録を行う画像記録装置において、
前記連続記録媒体の搬送情報を出力する搬送情報生成部を備え当該連続記録媒体を所定の張力と速度とで搬送路を搬送する搬送部と、
前記連続媒体を切断可能に対向配置され、所定の回転数で回転することにより、切断位置で前記連続記録媒体を所定長Ｃで切断するカット側回転体及び受け側回転体を有する切断部と、
前記搬送情報生成部の出力信号に基づき前記連続記録媒体に画像記録を開始するタイミングを示す記録タイミング信号を生成する記録タイミング信号生成部と、
前記搬送路において前記画像記録部より距離Ｆだけ上流に設定される基準位置と、
前記画像記録指令を受け取ったとき、前記搬送部及び前記切断部を稼働し、当該切断部のカット回転体が切断位置にあるときの前記連続記録媒体の前記基準位置に対応する位置を前記画像記録の開始位置となるように前記記録タイミング信号生成部に前記記録タイミング信号を生成させる制御部と、
を備え、
前記切断部による切断予定位置が前記画像記録部と前記基準位置との間にこないように前記基準位置を設定されることを特徴とする画像記録装置。
【請求項２】
前記制御部は、演算処理部、及び制御プログラムを予め記憶している記憶部を更に備え、
前記演算処理部が前記制御プログラムを実行させることにより前記制御部として機能する、ことを特徴とする請求項１に記載の画像記録装置。
【請求項３】
前記基準位置は、Ｌを前記切断位置と前記画像記録部の間の距離、ｎを整数としたとき（Ｃ×ｎ）＞＝（Ｌ＋Ｆ）及び（Ｃ×（ｎ−１））＜Ｌを満足する距離Ｆだけ前記搬送路上を前記画像記録部より上流に設定されることを特徴とする請求項１に記載の画像記録装置。
【請求項４】
前記搬送部は、前記制御部から稼働の指示を受けると、停止の指示を受けるまで前記連続記録媒体を定速で搬送することを特徴とする請求項１に記載の画像記録装置。
【請求項５】
前記制御部は、前記連続記録媒体が前記基準位置からＦだけ搬送されるタイミングで画像記録を開始することを特徴とする請求項１に記載の画像記録装置。
【請求項６】
前記基準位置は、前記所定長Ｃが複数の値全てにおいて、前記切断部による切断予定位置が前記画像記録部と前記基準位置との間にこない位置に設定されることを特徴とする請求項１に記載の画像記録装置。
【請求項７】
前記画像記録指令を受け取ってから、前記連続記録媒体がＦだけ搬送される時間は、前記画像記録部が画像記録を行う準備に要する時間より長いことを特徴とする請求項１に記載の画像記録装置。
【請求項８】
上位装置からの画像記録指令に基づいて連続記録媒体に画像記録部により画像記録を行う画像記録装置の制御方法であって、
前記続記録媒体を所定の張力と速度とで搬送路を搬送し、当該連続記録媒体の搬送情報を出力する搬送部、及び前記連続媒体を切断可能に対向配置され、一定の回転数で回転することにより、切断位置で前記連続記録媒体を所定長Ｃで切断するカット側回転体及び受け側回転体を有する切断部を稼働し、
当該切断部のカット回転体が切断位置にあるとき、前記搬送情報生成部が出力する信号に基づいて生成された記録タイミング信号に基づいて前記連続記録媒体に画像記録を行う画像記録部より前記連続媒体の搬送経路上で距離Ｆだけ上流に設定された基準位置に対応する位置を、前記画像記録の開始位置となるように前記記録タイミング信号を生成し、
前記切断部による切断予定位置が前記画像記録部と前記基準位置との間にこないように前記基準位置を設定されることを特徴とする画像記録装置の制御方法。
【請求項９】
前記基準位置は、Ｌを前記切断位置と前記画像記録部の間の距離、ｎを整数としたとき（Ｃ×ｎ）＞＝（Ｌ＋Ｆ）及び（Ｃ×（ｎ−１））＜Ｌを満足する距離Ｆだけ前記搬送路上を前記画像記録部より上流に設定されることを特徴とする請求項８に記載の画像記録装置の制御方法。
【発明の詳細な説明】
【技術分野】
【０００１】
本発明は、連続記録媒体に画像を記録する画像記録装置に関し、さらに詳しくは記録媒体を切断する切断部を備えた画像記録装置および画像記録装置の制御方法に関する。
【背景技術】
【０００２】
プリンタ、ＦＡＸ等の画像記録装置に用いられる記録媒体としては、用紙やフィルム等をロール状に巻回した連続状の記録媒体（連続記憶媒体）や、所定のサイズに予め切断されている記録媒体が知られている。
【０００３】
カット用紙が記録媒体の場合、画像記録装置は数十〜数百ｍ／ｍｉｎの高速度で記録媒体を搬送しながら各ページを形成する１枚の記録媒体毎に画像を記録した後、排出する。
一方連続記録媒体を用いる画像記録装置の場合、連続記録媒体にページ毎の画像記録を行なった後、これを切断部でページ単位に切断した後に排出する。
【０００４】
特許文献１には、ロール紙等の連続記録媒体を使用する画像記録装置において、連続記録媒体に印刷されたカットマークを検出することで、連続記録媒体の切断を行う。そしてこのとき、カットマークの検出タイミングと切断タイミングとの差に基づいて搬送路長を変化させ、記録された画像と記録媒体の切断位置を調整する。これにより特許文献１の画像記録装置は、損紙の発生を低減させることが可能とされている。
【先行技術文献】
【特許文献】
【０００５】
【特許文献１】特開２００８-５５７８３号公報
【発明の概要】
【発明が解決しようとする課題】
【０００６】
しかしながら、特許文献１の画像記録装置は、カットマークを検出するための画像読み取り部や、搬送経路長を変化させるための機構を必要とする。したがって装置規模が大きくなり、コストアップに繋がるという問題がある。
【０００７】
また特許文献１には、画像記録を開始するタイミングと連続記録媒体を切断するタイミングとの関連については何ら開示されていない。
そこで本発明は、前述した課題に鑑みてなされたものであり、カットマークを必要とせずに連続記録媒体の切断が可能な画像記録装置および制御方法を提供することを目的とする。
【０００８】
また搬送経路を変化させる機構を設けることなく、画像記録位置と切断位置を一致させ、損紙の発生を最小限に抑えることが可能な画像記録装置および制御方法を提供することを目的とする。
【課題を解決するための手段】
【０００９】
本画像記録装置は、上位装置からの画像記録指令に基づいて連続記録媒体に画像記録部にて画像記録を行う画像記録装置において、前記連続記録媒体の搬送情報を出力する搬送情報生成部を備え当該連続記録媒体を所定の張力と速度とで搬送路を搬送する搬送部と、前記連続媒体を切断可能に対向配置され、所定の回転数で回転することにより、切断位置で前記連続記録媒体を所定長で切断するカット側回転体及び受け側回転体を有する切断部と、前記搬送情報生成部の出力信号に基づき前記連続記録媒体に画像記録を開始するタイミングを示す記録タイミング信号を生成する記録タイミング信号生成部と、
前記搬送路において前記画像記録部より所定距離だけ上流に設定される基準位置と、前記画像記録指令を受け取ったとき、前記搬送部及び前記切断部を稼働し、当該切断部のカット回転体が切断位置にあるときの前記連続記録媒体の前記基準位置に対応する位置を前記画像記録の開始位置となるように前記記録タイミング信号生成部に前記記録タイミング信号を生成させる制御部と、を備え、前記切断部による切断予定位置が前記画像記録部と前記基準位置との間にこないように前記基準位置を設定されることを特徴とする。
【００１０】
本画像記録装置の制御方法は、上位装置からの画像記録指令に基づいて連続記録媒体に画像記録部により画像記録を行う画像記録装置の制御方法であって、前記続記録媒体を所定の張力と速度とで搬送路を搬送し、当該連続記録媒体の搬送情報を出力する搬送部、及び前記連続媒体を切断可能に対向配置され、一定の回転数で回転することにより、切断位置で前記連続記録媒体を所定長で切断するカット側回転体及び受け側回転体を有する切断部を稼働し、当該切断部のカット回転体が切断位置にあるとき、前記搬送情報生成部が出力する信号に基づいて生成された記録タイミング信号に基づいて前記連続記録媒体に画像記録を行う画像記録部より前記連続媒体の搬送経路上で所定距離だけ上流に設定された基準位置に対応する位置を、前記画像記録の開始位置となるように前記記録タイミング信号を生成し、前記切断部による切断予定位置が前記画像記録部と前記基準位置との間にこないように前記基準位置を設定されることを特徴とする。
【発明の効果】
【００１１】
本発明によれば、カットマークを必要とせず、また搬送経路を変化させる機構を用いることなく、画像の位置と切断位置を一致させることが出来る。
また損紙の発生を最小限に抑えることができる。
【図面の簡単な説明】
【００１２】
【図１】本実施形態の画像記録装置が備える構成を示す概念的なブロック図である。
【図２】本実施形態の画像記録装置の記録媒体の搬送経路を概略的に表した図である。
【図３】本実施形態の画像記録装置による記録媒体に対する画像記録と切断のタイミングを示すタイムチャートである。
【図４】記録タイミング基準位置の設定位置の違いによって生じる損紙の量の変化を説明するための図である。
【図５】本実施形態の画像記録装置において、損紙の量を最小にするように記録タイミング基準位置を設定した場合を具体的な数値を入れて示す図である。
【発明を実施するための形態】
【００１３】
以下、図面を参照しながら本発明の実施の形態について説明する。
以下の説明では、本実施形態の画像記録装置として、インクジェット方式のフルライン型プリンタの場合を例として説明する。なお本実施形態の画像記録装置の記録方式はインクジェット方式に限定されるものではなく、静電誘導方式等他の方式でも良い。
【００１４】
図１は、本実施形態の画像記録装置が備える構成を示す概念的なブロック図である。
図１の画像記録装置１は、記録媒体給送部１２、第１の画像記録部４、第２の画像記録部５、搬送部８、切断部１０、及び制御部３を有している。
【００１５】
記録媒体給送部１２は、連続したロール状の連続記録媒体（以下、記録媒体３０という）を収容するものである。第１の画像記録部４は、記録媒体３０の第１面（表面）に画像を記録するものである。第２の画像記録部５は、記録媒体３０の第１面の裏面である第２面（裏面）に画像を記録するものである。搬送部８は、第１の画像記録部４及び第２の画像記録部５で画像記録がなされた記録媒体３０に対して所定の張力と速度で搬送する。切断部１０は、記録媒体３０を所定長に切断するものである。制御部３は、画像記録装置１全体の制御を司るものである。
【００１６】
なお、切断部１０の後段には、切断部１０で切断された記録媒体３０をスタックする記録媒体排出部１３が配置されている。記録媒体排出部１３は、画像記録された記録媒体３０をスタックしておく記録媒体スタッカ２４、及び不要な記録媒体３０（以下、損紙という）を廃棄するための廃棄媒体スタッカ２５が設けられている。媒体経路切替部２３が排出経路を切り換えることにより、損紙は廃棄媒体スタッカ２５へ排出され、それ以外の切断された記録媒体３０は記録媒体スタッカ２４に排出される。
【００１７】
搬送部８は、連続した記録媒体３０を挟持して搬送下流に向けて搬送するニップローラ対１４ａ、１４ｂを有している。このニップローラ対１４ａ、１４ｂはニップローラ駆動モータ１５により駆動される。記録媒体３０は、このニップローラ対１４ａ、１４ｂにより所定の張力が与えられた状態で、一定速度で搬送下流に搬送される。
【００１８】
また搬送部８には、記録媒体３０の搬送に従動して記録媒体３０の搬送量を示す搬送情報を出力する搬送情報生成部９が設けられている。搬送情報生成部９は、例えばロータリエンコーダで構成される。
【００１９】
搬送情報生成部９の出力信号は制御部３の記録タイミング信号生成部１６に入力される。記録タイミング信号生成部１６では、第１の画像記録部４と第２の画像記録部５が、記録媒体３０に画像を記録するタイミングを指示するための記録タイミング信号を生成する。この記録タイミング信号生成部１６からは、記録媒体が切断された時点を起点として、予め制御部３から設定された遅延量だけ遅延した記録タイミング信号が出力される。
【００２０】
切断部１０は、記録媒体３０を切断可能に対向配置され、所定の回転数で回転しているカット側回転体としてのカットローラ１８、及び受け側回転体としてのアンビルローラ１９を有している。カットローラ１８の外周面にはカッター刃２２が設けられており、カットローラ１８が回転すると、このカッター刃２２によって記録媒体３０が切断される。
【００２１】
カットローラ１８は、カットローラ駆動モータ２１を駆動源として回転する。カットローラ駆動モータ２１は、搬送情報生成部９が生成する搬送情報を制御パルスとして用い、記録媒体３０の搬送速度とカッター刃２２の周速の同期を確立している。また、画像記録時に記録媒体３０を切断する長さは、カットローラ１８の周長で決まる。よって切断部１０は、周長の異なるカットローラ１８に交換することにより、記録媒体３０の切断長を変えることができる。
【００２２】
図２は、本実施形態の画像記録装置１の記録媒体３０の搬送経路を概略的に表した図である。
記録媒体３０は、ロール状に巻き取られた状態で記録媒体給送部１２に収容されている。そして画像記録装置１内の記録媒体３０には、不図示の制動機構によりバックテンションが加えられている。この記録媒体３０を、ニップローラ対１４ａ、１４ｂによって搬送速度を一定に保ちながら搬送経路を搬送する。このように搬送される記録媒体３０に対し、第１の画像記録部４及び第２の画像記録部５は、記録タイミング信号生成部１６が出力する記録タイミング信号に基づいて第１面及び第２面に対して画像記録を行う。
【００２３】
本実施形態では、画像記録がなされた記録媒体３０をページ単位に切断する方法として、ロータリ式の切断部１０を用いている。そしてカッター刃２２の周速度を、記録媒体３０の搬送速度に同期した一定の速度で回転させることで、カッター刃２２がアンビルローラ１９側に押し付けられ、記録媒体３０が所定の媒体サイズに切断される。
【００２４】
また切断部１０は、カッター刃２２の位置を検出するための刃物位置情報生成部２０を有している。刃物位置情報生成部２０は、例えば光学式の透過センサ、光学式の反射型センサ、あるいは静電容量型センサ等で構成され、カッター刃２２が切断位置１１に位置しているか否かを検出する。
【００２５】
第１の画像記録部４は、記録タイミング信号遅延部３２、不図示のノズル列及びノズル駆動部とからなる。記録タイミング信号遅延部３２は、制御部３によって事前に設定された遅延量だけ、記録タイミング信号生成部１６から出力される記録タイミング信号を遅延させる。そして第１画像記録部４では、その遅延させた記録タイミング信号によるタイミングで、搬送情報生成部９から出力される搬送情報に同期してノズル駆動部がノズル列のノズルを駆動し、画像記録を行う。
【００２６】
第２の画像記録部５は、第１の画像記録部４と同様に、記録タイミング信号遅延部３３、不図示のノズル列及びノズル駆動部からなる。そして第２画像記録部５も、第１画像記録部４と同様に、記録タイミング信号遅延部３３によって遅延させた記録タイミング信号によるタイミングで、搬送情報に同期しながらノズル駆動部がノズルを駆動して画像記録を行う。
【００２７】
制御部３は、パーソナルコンピュータ等の上位装置２から通知されるジョブ情報に基づいて、第１の画像記録部４、第２の画像記録部５、搬送部８、及び切断部１０等の駆動制御を行う。制御部３は、内部に不揮発性領域を持つ記憶部３１及び不図示の演算処理部を備えており、演算処理部が不揮発性領域内の制御プログラムを実行することによって、各処理を実現する。
【００２８】
図３は、本実施形態の画像記録装置１による記録媒体３０に対する画像記録と切断のタイミングを示すタイムチャートである。
図３は、カッター刃２２が切断位置１１に位置している状態で、上位装置２からジョブ情報として画像記録指令を受信したときの切断部１０による切断タイミング及び記録タイミング信号と、記録媒体３０の搬送位置関係を示している。同図おいて、記録媒体３０は左から右に搬送される。なお同図では、説明を簡略化するために、ジョブ情報によって、２ページの画像情報と共に記録媒体３０の第１面に画像記録処理を行うよう通知されたものとする。
【００２９】
図３では、ｔ１乃至ｔ９までの時間経過での各タイミングと記録媒体３０の切断位置の移動を示している。図中の●が記録媒体３０の切断位置となる場所を示しており、ｔ１からｔ９まで時間が経過するにしたがって左から右に移動する。また図中の「Ｐ．１」、「Ｐ．２」がジョブ情報によって通知されて画像記録されるページを示し、「Ｐ．１」より右の、つまり記録媒体３０の搬送方向下流の一点鎖線部分は損紙となるページ部分を示している。
【００３０】
また図３において、Ｌは切断位置１１から第１の画像記録部４までの搬送経路長である。またＳは画像データを画像記録部４及び画像記録部５に転送するためのハードウェア設定に最低限必要な処理時間を搬送経路長に換算した長さである。
【００３１】
記録タイミング基準位置３４は、第１画像記録部４による画像記録処理の基準となる位置である。制御部３は上位装置２からジョブ情報を受け取ると搬送部８及び切断部１０を稼働する。そして制御部３は切断部１０のカッター刃２２が切断位置１１に到達した時点で、記録媒体３０のこの記録タイミング基準位置３４の地点を第１ページ目の先頭（切断部分）として画像記録の開始タイミングや切断タイミングを設定する。この記録タイミング基準位置３４は、画像記録装置１の特性に基づいて第１の画像記録４より搬送方向上流に設定される。
【００３２】
Ｆは画像データを転送する処理時間にさらに画像記録に必要な処理時間を記録タイミング基準位置３４から第１の画像記録部４までの搬送経路長に変換した長さであり、次式を満足する。
Ｆ＞＝Ｓ・・・式（１）
【００３３】
例えば画像記録装置１の記録方式がインクジェット方式の場合、第１の画像記録部４及び第２の画像記録部５は、画像記録処理を行っていない間は、内部のインクの粘度が増加するのを防止するためのプリカーサ動作（インクを吐出しない程度のノズル微振動駆動）を行っている。そのため、画像記録を開始する際は、このプリカーサ動作を停止するためのソフトウェアの処理時間を要する。また、インクの吐出量を一定にするため、インクの温度に応じて第１の画像記録部４及び第２の画像記録部５にではノズル列に電圧を印加している。そのため、画像記録を開始する際は、印加電圧を変更するための処理時間等も必要とする。さらに画像記録装置１の記録方式が静電誘導方式の場合、トナーを定着させるためのヒータを一定の温度まで上げる処理に要する時間が必要となる。そしてこれらの処理は、記録タイミング基準位置３４から第１の画像記録部４まで、記録媒体３０が搬送される時間内に行われる。
【００３４】
従って、式（１）で示したＦは、実際にはＦ＞Ｓを満たすものとなる。
これらの搬送経路長の値は、例えば画像記録装置１の電源投入時に制御部３から搬送部８に通知される。また搬送経路長Ｆの値は、例えば画像記録装置１の電源投入時に制御部３から第１の画像記録部４に通知される。
【００３５】
図３のＣはカットローラ１８の周長で決まる記録媒体３０が切断される切断長である。またＭは記録媒体３０を切断したタイミングから記録タイミング信号を出力するまでの搬送経路長であり、次式で算出される。
Ｍ＝（Ｃ×ｎ）−（Ｌ＋Ｆ）・・・式（２）
ただし、ｎは次式を満足する整数である。
（Ｃ×ｎ）＞＝（Ｌ＋Ｆ）・・・式（３）
【００３６】
また、Ｂは記録タイミング基準位置３４から第２の画像形成部５までの予め設定された搬送経路長であり、この搬送経路長Ｂは、例えば画像記録装置の電源投入時に制御部３から第２の画像記録部５に通知される。
【００３７】
次に図３のｔ１からｔ９までの時間経過による画像記録装置１の動作説明を行う。
制御部３は、上位装置２からジョブ情報によって画像記録指令を受信すると、ニップローラ駆動モータ１５を駆動して記録媒体３０の搬送を開始する。また、制御部３は、ニップローラ対１４ａ、１４ｂの回転に合わせて、搬送情報生成部９から出力されるパルスに同期してカットローラ１８が回転駆動するように、カットローラ駆動モータ２１を駆動する。
【００３８】
そして制御部３は、刃物位置情報生成部２０により、カッター刃２２が切断位置１１に到達したことを検出する（ｔ１）。そして記録媒体３０がＭだけ搬送されると、記録タイミング信号生成部１６から出力される記録タイミング信号がオフからオンに変化する（ｔ２）。
【００３９】
次に、記録媒体３０がＦだけ搬送されると、記録タイミング信号遅延部３２により遅延された記録タイミング信号に基づいて、第１の画像記録部４によって１枚目（Ｐ．１）の第１面の画像記録が開始される（ｔ３）。
【００４０】
記録媒体３０がｔ２の時の位置からＣだけ搬送されると、記録タイミング信号生成部１６から出力される記録タイミング信号がオンからオフに変化すると直ちにオンに戻る（ｔ４）。そしてｔ４の時の位置からさらに記録媒体３０がＦだけ搬送されると、記録タイミング信号遅延部３２により遅延された記録タイミング信号に基づいて、第１の画像記録部４において２枚目（Ｐ．２）の第１面の画像記録が開始される（ｔ５）。
【００４１】
そしてｔ５の時の位置から更に記録媒体３０がＣだけ搬送されると、第１の画像記録部４による画像記録が終了する（ｔ６）。
また記録媒体３０が、ｔ２の時の位置からＳ＋Ｌだけ搬送されると、１枚目（Ｐ．１）の先端に該当する切断位置４１でカッター刃２２によって切断される（ｔ７）。そしてｔ７の位置から記録媒体３０がＣだけ搬送されると、１枚目（Ｐ．１）の後端（２枚目（Ｐ．２）の先端）に該当する切断位置４２でカッター刃２２によって切断される（ｔ８）。ここから更に記録媒体３０がＣだけ搬送されると、２枚目（Ｐ．２）の後端に該当する切断位置４３でカッター刃２２によって切断される（ｔ９）。
【００４２】
なお第２の画像記録部５によって、記録媒体３０の第２面にも画像記録を行う場合には、記録媒体３０がｔ２の位置からＢだけ搬送されたタイミングで、第２の画像記録部５によって記録媒体３０の１枚目（Ｐ．１）の第２面への画像記録が開始される。そして更に記録媒体３０がＣだけ搬送されたタイミングで、２枚目（Ｐ．２）の第２面への画像記録が開始される。
【００４３】
このように図３の例では、１ページ目への画像記録を行う位置より前の部分（切断部４０から４１までの範囲）は、何も画像記録がなされず、損紙として破棄される。この排紙の量は、図３の場合は４ページ分であるが、この排紙の量は記録タイミング基準位置３４の位置によって変化する。
【００４４】
図４（ａ）及び図４（ｂ）は、記録タイミング基準位置３４の設定位置の違いによって生じる損紙の量の変化を説明するための図である。
図４（ａ）は、図３において、記録媒体３０が切断される切断長がＣの場合とＣ１の場合（ただし、Ｃ＞Ｃ１）に発生する損紙の量を説明するための図である。また、図４（ｂ）は、図４（ａ）の状態から、記録タイミング基準位置３４を第１の画像記録部４からＦａ（ただし、Ｆａ＞Ｆ）だけ離れた位置３４ａとした場合に発生する損紙の量を説明するための図である。
【００４５】
図４（ａ）において、記録媒体３０を切断する長さがＣとなるカットローラ１８を装着した場合、記録媒体３０のＭａＣの位置から１枚目の第１面の画像が記録されるため、３×Ｃの長さの損紙が発生する。また、記録媒体３０を切断する長さがＣ１となるカットローラ１８を装着した場合、記録媒体３０のＭａＣ１の位置から１枚目の第１面の画像が記録されるため、４×Ｃ１の長さの損紙が発生する。
【００４６】
一方図４（ｂ）では、記録媒体３０を切断する長さがＣとなるカットローラ１８を装着した場合は、記録媒体３０のＭｂＣの位置から１枚目の第１面の画像が記録されるため、３×Ｃの長さの損紙が発生する。また、記録媒体３０を切断する長さがＣ１となるカットローラ１８を装着した場合、記録媒体３０のＭｂＣ１の位置から１枚目の第１面の画像が記録されるため、５×Ｃ１の長さの損紙が発生する。
【００４７】
よって図４（ａ）及び図４（ｂ）で損紙の量を比較すると、記録媒体３０を切断する長さがＣとなるカットローラ１８を装着した場合は、発生する損紙の長さは同じになる。しかし、記録媒体３０を切断する長さがＣ１となるカットローラ１８を装着すると、図４（ｂ）の場合は、発生する損紙がＣ１だけ増加する。
【００４８】
従って損紙の量を考慮した場合、記録タイミング基準位置３４は、単にＦ＞Ｓを満たせばよいということではない。
本実施形態の画像記録装置１では、記録タイミング基準位置３４は、記録媒体３０を切断する長さによらず、カッター刃２２による記録媒体３０の切断位置が第１の画像記録部４と記録タイミング基準位置３４の間に含まれないような位置にする。これにより、記録媒体３０の搬送を開始してから第１の画像記録部４で画像記録された１枚目の記録媒体が排出されるまでに発生する損紙の量を最小限にすることができる。
【００４９】
このときの記録タイミング基準位置３４の第１の画像記録部４からの距離Ｆは、記録媒体３０が切断される切断長がＣ１の場合は次の式（３）、（４）式を全て満たし、かつ切断長がＣ２の場合は（５）、（６）式を全て満たす値となる。
（Ｃ×ｎ１）＞＝（Ｌ＋Ｆ）・・・式（３）
（Ｃ×（ｎ１−１））＜Ｌ・・・式（４）
（Ｃ２×ｎ２）＞＝（Ｌ＋Ｆ）・・・式（５）
（Ｃ２×（ｎ２−１））＜Ｌ・・・式（６）
ただしｎ１、ｎ２は整数
【００５０】
したがって記録媒体３０の切断長がα種類ある場合に、その全てにおいて発生する損紙を最小限にするには、全てのα（ただし、αは２以上の整数）に対して次式を全て満足すればよい。
（Ｃα×ｎα）＞＝（Ｌ＋Ｆ）・・・式（７）
（Ｃα×（ｎα−１））＜Ｌ・・・式（８）
【００５１】
本実施形態の画像記録装置１では、用いられる全てのカットローラ１８に対してこの式（７）、（８）を満たすようなＦの値を求め、第１の画像記録部４から上流にこのＦの位置を記録タイミング基準位置３４とする。これにより、発生する損紙の量を最小限にすることが出来る。
【００５２】
次に、具体的な数値を用いた例を示して説明する。
図５は、切断位置１１から第１の画像記録部４までの搬送経路長Ｌが４０００ｍｍ、画像記録に最低限必要な処理時間を搬送経路長に換算した長さＳが９０ｍｍの画像記録装置１において、損紙の量を最小にするように記録タイミング基準位置３４を設定した場合を示す図である。なお図５では、第２の画像記録部５については省略している。
【００５３】
図５では、第１の画像記録部４から記録タイミング基準位置３４までの距離Ｆを１００ｍｍとしている。そして同図（ａ）には切断長Ｃ１＝２１０ｍｍのとき、同図（ｂ）には切断長Ｃ２＝４２０ｍｍ、同図（ｃ）には切断長Ｃ３＝２１６ｍｍのとき、及び同図（ｄ）には切断長Ｃ４＝４３２ｍｍのときの損紙の量を示している。この切断長がＣ１乃至Ｃ４のとき、Ｆ＝１００ｍｍで、上述した式（７）及び（８）を満たしている。
【００５４】
図５（ａ）は、カットローラ１８に切断長がＣ１＝２１０ｍｍのものを装着して、１ページの大きさをＡ４サイズとした場合を示している。この場合、第１の画像記録部４で１枚目の第１面に画像記録が行われるのは、切断位置１１から２１０×２０＝４２００ｍｍの位置である。したがって、記録媒体３０の搬送を開始してから第１の画像記録部４で画像記録された１枚目の記録媒体が排出されるまでに発生する損紙の長さは４２００ｍｍとなる。
【００５５】
図５（ｂ）は、カットローラ１８に切断長がＣ２＝４２０ｍｍのものを装着して、１ページの大きさをＡ３サイズとした場合を示している。この場合、第１の画像記録部４で１枚目の第１面に画像記録が行われるのは、切断位置１１から４２０×１０＝４２００ｍｍの位置である。したがって、記録媒体３０の搬送を開始してから第１の画像記録部４で画像記録された１枚目の記録媒体が排出されるまでに発生する損紙の長さは、図５（ａ）の場合と同様、４２００ｍｍとなる。
【００５６】
図５（ｃ）は、カットローラ１８に切断長がＣ３＝２１６ｍｍのものを装着して、１ページの大きさをレターサイズとした場合を示している。この場合、第１の画像記録部４で１枚目の第１面に画像記録が行われるのは、切断位置１１から２１６×１９＝４１０４ｍｍの位置である。したがって、記録媒体３０の搬送を開始してから第１の画像記録部４で画像記録された１枚目の記録媒体が排出されるまでに発生する損紙の長さは４１０４ｍｍとなる。
【００５７】
図５（ｄ）は、カットローラ１８に切断長がＣ４＝４３２ｍｍのものを装着して、１ページの大きさをタブロイドサイズとした場合を示している。この場合、第１の画像記録部４で１枚目の第１面に画像記録が行われるのは、切断位置１１から４３２×１０＝４３２０ｍｍの位置である。したがって、記録媒体３０の搬送を開始してから第１の画像記録部４で画像記録された１枚目の記録媒体が排出されるまでに発生する損紙の長さは４３２０ｍｍとなる。
【００５８】
この図５（ａ）、（ｂ）、（ｃ）及び（ｄ）のいずれの場合においても、カッター刃２２による記録媒体３０の切断位置が、第１の画像記録部４と記録タイミング基準位置３４の間に含まれない。したがって記録媒体３０の搬送を開始してから第１の画像記録部４で画像記録された１枚目の記録媒体が排出されるまでに発生する損紙の長さが最小限にすることができる。
【００５９】
一方、切断長Ｃ１乃至Ｃ４のときに、上記した式（７）若しくは（８）を満足しないＦの値、例えばＦが１０５ｍｍになる位置に記録タイミング基準位置３４を設定し、また装着したカットローラ１８の切断長がＣ１＝２１６ｍｍの場合を考える。
【００６０】
この場合、カッター刃２２による記録媒体３０の切断位置の１つが切断位置１１から４１０４ｍｍの位置にとなり、第１の画像記録部４と記録タイミング基準位置３４の間に含まれてしまう。したがってＦ＝１０５ｍｍでカットローラ１８の切断長がＣ１のときは、発生する損紙の長さは４３２０ｍｍとなり損紙の量を最小限にすることは出来ない。
【００６１】
以上説明したように、本実施形態の画像記録装置１によれば、記録タイミング基準位置３４を損紙の量の発生を最小限にする位置に定める。これにより搬送経路を変化させる機構を用いることなく、画像の位置と切断位置を一致させ、損紙の発生を最小限に抑えることができる。
【００６２】
なお、本実施形態の画像記録装置１は、上記した例に限定されるものではなく、実施段階において、その要旨を逸脱しない範囲で構成要素を変形して具体化できる。また、本実施形態の画像記録装置１は、上記例に開示されている複数の構成要素の適宜な組み合わせにより、種々の発明をなすことができる。例えば本発明は、実施形態に示される全構成要素から幾つかの構成要素を削除しても良いし、更には各実施形態の異なる構成要素を適宜組み合わせても良い。
【００６３】
例えば上記例では、画像記録の方式をインクジェット方式のものとして説明したが記録処理方式はインクジェット方式に限定されるものではなく、静電誘導方式等他の記録方式のものであっても良い。
【００６４】
また上記例では、記録媒体３０の第１面（表面）と第２面（裏面）の両面に画像記録を行うものであったが、本実施形態の画像記録装置は、両面に画像記録を行う構成に限定されるものではなく、記録媒体３０の片面のみに画像記録を行うものであっても良い。
【符号の説明】
【００６５】
１  画像記録装置
２  上位装置
３  制御部
４  第１の画像記録部
５  第２の画像記録部
８  搬送部
９  搬送情報生成部
１０  切断部
１１  切断位置
１２  記録媒体給送部
１３  記録媒体排出部
１４ａ、１４ｂ  ニップローラ対
１５  ニップローラ駆動モータ
１６  記録タイミング信号生成部
１８  カットローラ
１９  アンビルローラ
２０  刃物位置情報生成部
２１  カットローラ駆動モータ
２２  カッター刃
２３  媒体経路切り替え部
２４  記録媒体スタッカ
２５  廃棄媒体スタッカ
３０  記録媒体
３１  記憶部
３２  記録タイミング信号遅延部
３３  記録タイミング信号遅延部
３４  記録タイミング基準位置
【図１】
2012006253.tif 000003
【図２】
2012006253.tif 000004
【図３】
2012006253.tif 000005
【図４】
2012006253.tif 000006
【図５】
2012006253.tif 000007